【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
記録媒体にデータを記録する方法において、
前記記録媒体の仮欠陥管理領域に管理情報エントリを記録する段階を含み、
前記管理情報エントリは、前記記録媒体のユーザデータ領域の一部を示し、前記管理情報エントリは、前記管理情報エントリの状態を示す第１の状態インジケータと第２の状態インジケータとを含み、
前記第１の状態インジケータは、前記ユーザデータ領域の前記一部に対してリプレースメントが行われているか否かを示し、前記第１の状態インジケータが、前記リプレースメントが行われていることを示す場合、前記第２の状態インジケータは、前記リプレースメントの形式を示すことを特徴とする方法。
【請求項２】
前記第１の状態インジケータが、前記リプレースメントが行われていることを示す場合、前記管理情報エントリは、前記ユーザデータ領域の前記一部をリプレースメントする前記記録媒体のリプレースメント部分を更に示すことを特徴とする請求項１記載の方法。
【請求項３】
前記リプレースメントの形式は、シングルデータユニット・リプレースメント形式と連続データユニット・リプレースメント形式の内のいずれか一つであることを特徴とする請求項２記載の方法。
【請求項４】
前記データユニットは、クラスタであることを特徴とする請求項３記載の方法。
【請求項５】
前記管理情報エントリは、前記一部の第１の物理セクター番号を提供することによって前記一部を示し、前記リプレースメント部分の第１の物理セクター番号を提供することによって前記リプレースメント部分を示すことを特徴とする請求項４記載の方法。
【請求項６】
前記第２の状態インジケータが、前記リプレースメントの形式が連続したものであることを示す場合、前記一部は、一連のデータユニットの最初のデータユニットと最後のデータユニットの内のいずれか一つであり、前記リプレースメント部分は、一連のリプレースメントデータユニットの最初のリプレースメントデータユニットと最後のリプレースメントデータユニットの内の対応するいずれか一つであることを特徴とする請求項３記載の方法。
【請求項７】
前記仮欠陥管理領域のサイズは、固定であることを特徴とする請求項３記載の方法。
【請求項８】
前記仮欠陥管理領域は、前記記録媒体のリードイン領域に位置することを特徴とする請求項７記載の方法。
【請求項９】
前記仮欠陥管理領域は、前記記録媒体のスペア領域に位置することを特徴とする請求項３記載の方法。
【請求項１０】
前記スペア領域に位置する前記仮欠陥管理領域は、前記記録媒体のリードイン領域内に位置する他の仮欠陥管理領域に付加されていることを特徴とする請求項９記載の方法。
【請求項１１】
前記仮欠陥管理領域は、前記記録媒体に割り当てられた前記スペア領域のサイズに応じて異なるサイズを有することを特徴とする請求項９記載の方法。
【請求項１２】
記録媒体にデータを記録する方法において、
前記記録媒体の仮欠陥管理領域内の第１の管理エントリを少なくとも記録する段階を含み、
前記第１の管理エントリが、
前記記録媒体のユーザデータ領域内のクラスタを識別すること、
前記識別されるクラスタがリプレースメントされることを示す第１の状態インジケータを含むこと、
前記リプレースメントがシングルクラスタリプレースメント又は連続クラスタリプレースメントの少なくとも一つであるか否かを示す第２の状態インジケータを含むこと、
リプレースメントクラスタを識別すること
を含むことを特徴とする方法。
【請求項１３】
前記第２の状態インジケータが連続クラスタリプレースメントを示す場合、前記識別されたクラスタは、リプレースメントされる一連のクラスタの最初のクラスタと最後のクラスタの内のいずれか一つであり、前記識別されたリプレースメントクラスタは、一連のリプレースメントクラスタの最初のクラスタと最後のクラスタの内の対応するいずれか一つであることを特徴とする請求項１２記載の方法。
【請求項１４】
前記第２の状態インジケータが連続クラスタリプレースメントを示し、前記識別されたリプレースメントクラスタが前記一連のリプレースメントクラスタの前記最初のクラスタである場合に、前記記録媒体の仮欠陥管理領域内に第２の管理エントリを記録する段階を更に含み、
前記第２の管理エントリは、
前記記録媒体のユーザデータ領域内の最後のクラスタを識別すること、
前記識別された最後のクラスタがリプレースメントされることを示す第１の状態インジケータを含むこと、
連続クラスタリプレースメントを示す第２の状態インジケータを含むこと、
前記最後のリプレースメントクラスタを識別すること
を含むことを特徴とする請求項１２記載の方法。
【請求項１５】
前記第１の管理エントリは、前記識別されたクラスタの最初の物理セクター番号を提供することによって前記識別されたクラスタを識別し、前記識別されたリプレースメントクラスタの最初の物理セクター番号を提供することによって前記識別されたリプレースメントクラスタを識別することを特徴とする請求項１２記載の方法。
【請求項１６】
記録媒体に記録されたデータを再生する方法において、
前記記録媒体の仮欠陥管理領域内の管理情報エントリを再生する段階であって、
前記管理情報エントリは、前記記録媒体のユーザデータ領域の一部を示し、前記管理情報エントリは、前記管理情報エントリの状態を示す第１の状態インジケータと第２の状態インジケータを含み、
前記第１の状態インジケータは、前記ユーザデータ領域の前記一部に対してリプレースメントが行われているか否かを示し、前記第１の状態インジケータが、前記リプレースメントが行われていることを示す場合、前記第２の状態インジケータは、前記リプレースメントの形式を示す、段階と、
前記再生された管理情報エントリに基づいて前記ユーザデータ領域のデータを再生する段階と
を含むことを特徴とする方法。
【請求項１７】
ユーザデータ領域の一部のリプレースメントを管理するデータ構造を有する記録媒体において、
少なくとも一つの管理情報エントリを含む、前記記録媒体の仮欠陥管理領域を有し、
前記管理情報エントリは、前記記録媒体のユーザデータ領域の一部を示し、前記管理情報エントリは、前記管理情報エントリの状態を示す第１の状態インジケータと第２の状態インジケータとを含み、
前記第１の状態インジケータは、前記ユーザデータ領域の前記一部に対してリプレースメントが行われているか否かを示し、前記第１の状態インジケータが、前記リプレースメントが行われていることを示す場合、前記第２の状態インジケータは、前記リプレースメントの形式を示すことを特徴とする記録媒体。
【請求項１８】
記録媒体に記録されたデータの再生方法において、
前記記録媒体の仮欠陥管理領域から管理情報を再生する段階であって、前記管理情報が、連続リプレースメント記録が行われた前記記録媒体のユーザデータ領域の第１の範囲のクラスタと、前記リプレースメント記録された領域としての役割を有する前記記録媒体の第２の範囲のクラスタを示す、段階と、
前記再生された管理情報に基づいてデータを再生する段階と
を含むことを特徴とする方法。
【請求項１９】
記録媒体のユーザデータ領域のリプレースメント部分を管理するためのデータ構造を有する記録媒体において、
管理情報を含む、前記記録媒体の仮欠陥管理領域を有し、
前記管理情報は、連続リプレースメント記録が行われた前記記録媒体のユーザデータ領域の第１の範囲のクラスタと、前記リプレースメント記録された領域としての役割を有する前記記録媒体の第２の範囲のクラスタを示すことを特徴とする記録媒体。
【請求項２０】
記録媒体にデータを記録する装置において、
前記記録媒体にデータを記録するように構成されたピックアップユニットと、
前記ピックアップユニットに結合し、前記記録媒体の仮欠陥管理領域への管理情報エントリの記録を制御するように構成されたマイクロコンピュータと
を備え、
前記管理情報エントリは、前記記録媒体のユーザデータ領域の一部を示し、前記管理情報エントリは、前記管理情報エントリの状態を示す第１の状態インジケータと第２の状態インジケータを含み、
前記第１の状態インジケータは、前記ユーザデータ領域の前記一部に対してリプレースメントが行われているか否かを示し、前記第１の状態インジケータが、前記リプレースメントが行われていることを示す場合、前記第２の状態インジケータは、前記リプレースメントの形式を示すことを特徴とする装置。
【請求項２１】
前記マイクロコンピュータは、前記第１の状態インジケータが、前記リプレースメントが行われていることを示す場合、前記ユーザデータ領域の前記一部をリプレースメントする前記記録媒体のリプレースメント部分を含む前記管理情報エントリの記録を制御するように構成されたことを特徴とする請求項２０記載の装置。
【請求項２２】
前記リプレースメントの形式は、シングルデータユニット・リプレースメント形式と連続データユニット・リプレースメント形式の内のいずれか一つであることを特徴とする請求項２１記載の装置。
【請求項２３】
記録媒体に記録されたデータを再生する装置において、
前記記録媒体からデータを読み取るように構成されたピックアップユニットと、
前記ピックアップユニットに結合し、前記記録媒体の仮欠陥管理領域に記録された管理情報エントリの再生を制御するように構成されたマイクロコンピュータと
を備え、
前記管理情報エントリは、前記記録媒体のユーザデータ領域の一部を示し、前記管理情報エントリは、前記管理情報エントリの状態を示す第１の状態インジケータと第２の状態インジケータを含み、
前記第１の状態インジケータは、前記ユーザデータ領域の前記一部に対してリプレースメントが行われているか否かを示し、前記第１の状態インジケータが、前記リプレースメントが行われていることを示す場合、前記第２の状態インジケータは、前記リプレースメントの形式を示し、
前記マイクロコンピュータは、前記再生された管理情報エントリに基づいて前記ユーザデータ領域のデータの再生を更に制御するように構成されたことを特徴とする装置。
【請求項２４】
前記マイクロコンピュータは、前記第１の状態インジケータが、前記リプレースメントが行われていることを示す場合、前記ユーザデータ領域の前記一部をリプレースメントする前記記録媒体のリプレースメント部分を含む前記管理情報エントリの再生を制御するように構成されたことを特徴とする請求項２３記載の装置。
【請求項２５】
前記リプレースメントの形式は、シングルデータユニット・リプレースメント形式と連続データユニット・リプレースメント形式の内のいずれか一つであることを特徴とする請求項２４記載の装置。